(57)【特許請求の範囲】
【請求項１】
遊技機の遊技動作を制御する電子部品が実装された電子回路基板と、この電子回路基板を収納するケース本体と、このケース本体に被せられるケース蓋と、このケース蓋と前記ケース本体とをこれらの当接部位の全部のコネクタ部分を除く全周囲において接着する接着剤または硬化樹脂と、この接着剤または硬化樹脂による接着箇所にまたがった状態で前記ケース本体および前記ケース蓋に貼られる封印シールとからなる遊技機の電子部品封印構造。
【請求項２】
遊技機の遊技動作を制御する電子部品が実装された電子回路基板と、この電子回路基板を収納する，コネクタ部分を除く全周囲にフランジ部が設けられたケース本体と、コネクタ部分を除く全周囲に設けられたフランジ部が前記ケース本体のフランジ部との当接部位の全部において溶着され，前記ケース本体に被せられるケース蓋と、この溶着箇所にまたがった状態で前記ケース本体および前記ケース蓋に貼られる封印シールとからなる遊技機の電子部品封印構造。
【請求項３】
遊技機の遊技動作を制御する電子部品が実装された電子回路基板と、この電子回路基板を収納する，基盤に取り付けられるケース本体と、このケース本体に被せられるケース蓋と、このケース蓋が被せられた前記ケース本体を前記基盤に止める特殊な色をした結束バンドとからなる遊技機の電子部品封印構造。
【請求項４】
前記電子部品にまたがって前記電子回路基板に貼られる封印シールと、この封印シールの一部または全部を被覆する接着剤または硬化樹脂とを備えたことを特徴とする請求項１から請求項３のいずれか１項に記載した遊技機の電子部品封印構造。
【請求項５】
前記電子部品の一部または全部を被覆する接着剤または硬化樹脂と、この接着剤または硬化樹脂にまたがって前記電子回路基板に貼られる封印シールとを備えたことを特徴とする請求項１から請求項３のいずれか１項に記載した遊技機の電子部品封印構造。
【発明の詳細な説明】
【０００１】
【発明の属する技術分野】
本発明は、遊技機の遊技動作を制御する電子部品を封印してこの電子部品に対する不正操作を阻止する遊技機の電子部品封印構造に関するものである。
【０００２】
【従来の技術】
パチンコ機やピンボールゲーム機，スマートボールゲーム機等の弾球遊技機や、スロットマシンといった遊技機のほとんどは、マイクロコンピュータを用いた電子回路によってその遊技動作が制御されている。通常この電子回路には、総括的な演算制御を行う中央処理装置（ＣＰＵ），データの読み取りおよび書き込みが可能な記憶素子（ＲＡＭ），データの読み取りのみ可能な記憶素子（ＲＯＭ）といった電子部品が備えられている。ＣＰＵはこれらＲＡＭ，ＲＯＭを用いて弾球遊技機の役物や、スロットマシンのリール等の動作を制御する。
【０００３】
この種の遊技機における大当たり発生確率はランダム抽選によって行われている。つまり、乱数発生器で発生した乱数をサンプリングし、サンプリングした乱数値が入賞判定テーブルのどの区画の数値範囲に入っているかにより、入賞態様が決定される。入賞判定テーブルは、一定範囲の乱数を各入賞態様に区画するデータからなり、ＲＯＭに記憶されている。ＣＰＵは、サンプリングされた乱数値が例えば入賞判定テーブルのＡ区画に属する場合には大当たりを発生させ、また、Ｂ区画に属する場合には小当たりを発生させ、また、Ｃ区画に属する場合にはハズレとする。
【０００４】
このような大当たり発生確率等のデータを記憶したＲＯＭは、電子回路基板に対して着脱可能に取り付けられており、取り換えることが出来る。ＲＯＭを取り換えることにより、同じ電子回路基板を用いて異なる遊技機種の制御回路基板を容易に構成することが可能である。
【０００５】
このようにＲＯＭが着脱可能な構成になっているため、このＲＯＭを改造したＲＯＭに取り換え、大当たり発生確率等のデータを改ざんし、大量の遊技球やメダル等を不正に獲得する事態が生じている。
【０００６】
従来、このような不正を防止するため、ＲＯＭにまたがる状態で封印シールが電子回路基板に貼られている。また、ＲＯＭが搭載された電子回路基板を収納する基板ケースの本体と蓋とにまたがり、封印シールが貼られている。ＲＯＭを電子回路基板から取り外したり、基板ケースを開けると、その痕跡が封印シールに残り、遊技機に対する不正操作を把握することが出来る。遊技場では各遊技機に貼られた封印シールの状態を定期的にチェックしており、封印シールに剥がされた痕跡がある場合にはその遊技機を直ちに検査する。
【０００７】
【発明が解決しようとする課題】
しかしながら、封印シールは特殊な薬品で容易に剥がすことが出来る。このため、上記従来の遊技機の電子部品封印構造では、ＲＯＭを取り外して改造ＲＯＭに交換したり、基板ケースを開けて電子回路基板自体を改造した電子回路基板に取り換えても、封印シールを再度元の通りに貼り直すと、その痕跡が残らない。従って、従来の遊技機の電子部品封印構造では、ＲＯＭの不正交換を有効に防止することが出来なかった。
【０００８】
【課題を解決するための手段】
本発明はこのような課題を解決するためになされたもので、遊技機の遊技動作を制御する電子部品が実装された電子回路基板と、この電子回路基板を収納するケース本体と、このケース本体に被せられるケース蓋と、このケース蓋とケース本体とをこれらの当接部位の全部のコネクタ部分を除く全周囲において接着する接着剤または硬化樹脂と、この接着剤または硬化樹脂による接着箇所にまたがった状態でケース本体およびケース蓋に貼られる封印シールとから遊技機の電子部品封印構造を構成した。
【０００９】
本構成のように、ケース蓋とケース本体とが当接部位の全部のコネクタ部分を除く全周囲において接着剤または硬化樹脂によって接着されている場合には、封印シールが剥がされたとしても、ケースが開かないので電子部品の脱着は困難である。
【００１０】
また、遊技機の遊技動作を制御する電子部品が実装された電子回路基板と、この電子回路基板を収納する，コネクタ部分を除く全周囲にフランジ部が設けられたケース本体と、コネクタ部分を除く全周囲に設けられたフランジ部がケース本体のフランジ部との当接部位の全部において溶着され，ケース本体に被せられるケース蓋と、この溶着箇所にまたがった状態でケース本体およびケース蓋に貼られる封印シールとから遊技機の電子部品封印構造を構成した。
【００１１】
本構成のように、ケース蓋とケース本体とのコネクタ部分を除く全周囲に設けられたフランジ部が当接部位の全部において溶着されている場合にも、封印シールが剥がされたとしても、ケースが開かないので電子部品の脱着は困難である。
【００１２】
また、遊技機の遊技動作を制御する電子部品が実装された電子回路基板と、この電子回路基板を収納する，基盤に取り付けられるケース本体と、このケース本体に被せられるケース蓋と、このケース蓋が被せられたケース本体を基盤に止める特殊な色をした結束バンドとから遊技機の電子部品封印構造を構成した。
【００１３】
本構成のように、ケース蓋が被せられたケース本体が特殊な色をした結束バンドによって基盤に止められることにより、結束バンドを切ってケースを開けると、同じ特殊な色をした結束バンドは入手出来ないため、再び元の状態にケースを基盤に止めることは困難である。
【００１４】
また、電子部品にまたがって電子回路基板に貼られる封印シールと、この封印シールの一部または全部を被覆する接着剤または硬化樹脂とを備えて、遊技機の電子部品封印構造を構成した。
【００１５】
本構成のように、電子部品にまたがる封印シールの全部が接着剤または硬化樹脂によって被覆されている場合には、電子部品の脱着が困難になる。また、この封印シールの一部が接着剤または硬化樹脂によって被覆されている場合には、封印シールが剥がされるとその痕跡が残る。
【００１６】
また、電子部品の一部または全部を被覆する接着剤または硬化樹脂と、この接着剤または硬化樹脂にまたがって電子回路基板に貼られる封印シールとを備えて、遊技機の電子部品封印構造を構成した。
【００１７】
本構成のように、電子部品の一部または全部が接着剤または硬化樹脂によって被覆されている場合には、封印シールが剥がされたとしても、電子部品の脱着は困難である。
【００２０】
【発明の実施の形態】
次に、本発明による遊技機の電子部品封印構造の一実施形態について説明する。
【００２１】
図５は本発明が適用される一般的なパチンコ機１を示しており、同図（ａ）はこのパチンコ機１の正面図，同図（ｂ）はその背面図である。
【００２２】
パチンコ機１正面のフロントドア内部には遊技盤２が設けられている。この遊技盤２には多数の障害釘が植設されており、また、中央部には図示しないセンター役物が配置されている。ハンドル３が回動操作されると、上皿４に貯留された遊技球が遊技盤２内に打ち込まれる。遊技盤２内に打ち込まれた遊技球は障害釘に弾かれながら盤面内を流下し、いずれの入賞口にも入らない場合にはアウト口から回収される。
【００２３】
一方、遊技球が一般入賞口に入ると所定個数の遊技球が上皿４に払い出される。また、正面中央に設けられた始動口に遊技球が入賞すると、センター役物に設けられた可変表示装置が回り出す。この可変表示装置が所定図柄を表示して停止した場合には大当たりが発生し、変動入賞装置（チャッカー）が所定時間または遊技球が所定個数入賞するまで開いた状態になる。従って、大当たりが発生すると遊技者は多量の遊技球を短時間に獲得することが出来る。
【００２４】
また、可変表示装置が別の所定図柄を表示して停止した場合には確率変動状態になり、大当たりが極めて発生しやすい状態になる。この確率変動状態における大当たり発生確率は、可変表示装置に停止表示される図柄の組み合わせに応じて予め定められており、通常の遊技状態時よりも極めて高い大当たり発生確率値に設定されている。
【００２５】
パチンコ機１背面の裏機構盤中央には基板ケース５が取り付けられている。なお、この基板ケース５は遊技機種によっては遊技盤２の裏面に取り付けられることもある。基板ケース５の内部にはパチンコ機１の遊技動作を制御する電子部品が実装された遊技基板が収納されている。この遊技基板は電源プラグ６および電源基板ユニット７を介して供給される直流電源を受けて動作する。また、背面上部に位置する払出球タンク８は補給樋から供給される遊技球を貯めており、この遊技球は入賞時にツインレール９および払出球通路１０を介して上皿４に払い出される。また、入賞しなかった遊技球はアウト球通路１１を介して回収樋に回収される。
【００２６】
基板ケース５内に収納された遊技基板には前述したＣＰＵ，ＲＡＭ，ＲＯＭ等の電子部品が実装されている。前述した入賞判定テーブルといった大当たり確率情報等が記憶されたＲＯＭは、ソケット等に挿入されて着脱自在に遊技基板に実装されている。パチンコ機の遊技機種の変更はこのＲＯＭを交換することによって容易に行える。
【００２７】
また、図６は本発明が適用される一般的なスロットマシン２１を示しており、同図（ａ）はこのスロットマシン２１の斜視図，同図（ｂ）はこのスロットマシン２１のフロントドア２２を開いて観察される機器内部を示す正面図である。
【００２８】
フロントドア２２の正面上部の前面パネルには窓２３が形成されており、この窓２３を通して回転リール２４が観察されている。この回転リール２４はキャビネット２５の中段に内蔵されており、その外周には種々のシンボルが描かれている。遊技者によって投入口２６にメダルが投入され、スタートレバー２７が操作されるとリール２４が回転する。引き続いて遊技者によってストップボタン２８が押圧操作されると、その操作タイミングに応じてリール２４の回転が停止する。この停止時に窓２３を通して観察される各リール２４のシンボルの組み合わせが、所定のシンボルの組み合わせである場合には入賞が生じる。入賞時には機器に内蔵されたホッパ２９から払出口３０へ所定枚数のメダルが払い出され、受け皿３１に貯められる。
【００２９】
入賞時に払い出されるメダルの枚数は入賞態様に応じて異なり、この入賞態様は機器頭部に位置する配当表３２に表示されている。入賞態様には様々な種類があり、「７，７，７」といったシンボル組合せが揃った場合には大当たりが生じる。この大当たりゲームにはビッグボーナスゲームと呼ばれる入賞態様があり、遊技者はこのビッグボーナスゲームにおいて複数回の高配当ゲームを行え、多数のメダルを短時間に獲得することが出来る。また、リーチ目と称されるシンボル組合せがリール２４の回転停止時に表示された場合には、大当たりの発生が近いことが遊技者に示唆される。
【００３０】
リール２４の上部に位置するキャビネット２５の内側背面には木枠３３が設けられており、この木枠３３には基板ケース３４が取り付けられている。基板ケース３４には前述したＣＰＵ，ＲＡＭ，ＲＯＭ等の電子部品が実装された遊技基板が収納されている。このスロットマシン２１においても、前述した入賞判定テーブルといった大当たり確率情報等が記憶されたＲＯＭは、ソケットに挿入されて遊技基板に対して着脱自在に実装されている。スロットマシンの遊技機種の変更はこのＲＯＭを交換することによって容易に行える。
【００３１】
図１は、本発明の一実施形態による遊技機の電子部品封印構造が適用された基板ケース４１を示しており、上述した一般的なパチンコ機１における基板ケース５および一般的なスロットマシン２１における基板ケース３４に相当している。同図（ａ）はこの基板ケース４１の平面図、同図（ｂ）は同図（ａ）のｂ―ｂ線破断断面図である。なお、基板ケース４１の形状は直方体をした箱状に表しているが、基板ケース４１が取り付けられる周囲の状況に応じてその形状は適宜変更される。
【００３２】
基板ケース４１は、プラスチック製のケース本体４１ａとこのケース本体４１ａに被せられるプラスチック製のケース蓋４１ｂとからなり、内部の空間に電子回路基板である遊技基板４２を収納している。この遊技基板４２は、ケース本体４１ａにスペーサ４３を介して取り付けられており、パチンコ機１やスロットマシン２１といった遊技機の遊技動作を制御する上述した電子部品が実装されている。遊技基板４２の端部にはコネクタ４４が設けられており、遊技基板４２はこのコネクタ４４を介して基板ケース４１の外部装置と電気的に接続される。
【００３３】
同図（ｃ）は同図（ｂ）のｃ部を一部拡大して示す断面図である。ケース本体４１ａとケース蓋４１ｂとは、ツメまたはネジ等で互いに接合されており、さらに、ケース両側部の一部において接着剤または硬化樹脂４５によって接着されている。ここで硬化樹脂とは硬化材によって硬化する樹脂を意味する。また、この接着剤または硬化樹脂４５による接着箇所にまたがった状態で、封印シール４６がケース本体４１ａおよびケース蓋４１ｂに貼られている。
【００３４】
同図では基板ケース４１のケース本体４１ａとケース蓋４１ｂとをこれらの当接部位の一部において接着した例を示しているが、図２に示す基板ケース４１′，４１″のように、ケース本体４１ａ′，４１ａ″とケース蓋４１ｂ′，４１ｂ″との当接部位の全部において接着や溶着する構成としてもよい。ここで同図（ａ）は基板ケース４１′，４１″の平面図、同図（ｂ）はそれらの側面図を示している。
【００３５】
図の左方の基板ケース４１′は、ケース本体４１ａ′とケース蓋４１ｂ′とがそれらの当接部位の全部において、つまり図示しないコネクタ４４の部分を除く全周囲において上記の接着剤または硬化樹脂４５によって接着されている構造を示している。また、図の右方の基板ケース４１″は、ケース本体４１ａ″とケース蓋４１ｂ″とが、それらの全周囲（図示しないコネクタ４４の部分を除く）に設けられたフランジ部４１ｃが溶着されて相互に固定された構造を示している。この溶着は、超音波や熱がフランジ部４１ｃに印加され、フランジ部４１ｃの樹脂が溶けることによって行われる。
【００３６】
なお、同図では図示していないが、図１と同様な封印シール４６がそれぞれのケース本体４１ａ′，４１ａ″とケース蓋４１ｂ′，４１ｂ″との接着箇所または溶着箇所にまたがって貼られる。
【００３７】
また、基板ケース４１に収納された図１に示す遊技基板４２には、大当たり確率情報等を記憶したＲＯＭ４７がソケット４８に挿入されている。図３はこのＲＯＭ４７の部分を一部拡大して示しており、同図（ａ）はＲＯＭ４７の平面図、同図（ｂ）はその側面図を示している。
【００３８】
同図に示すようにソケット４８に固定されたＲＯＭ４７にまたがり、封印シール４９が遊技基板４２に貼られている。この封印シール４２は両端部において接着剤または硬化樹脂５０が被覆されている。接着剤または硬化樹脂５０は、封印シール４９の一部ではなく、同図（ｃ）の平面図に示すように封印シール４９の全部を被覆する構成としてもよい。
【００３９】
従来の基板ケースは本体と蓋との２部品がツメやビスなどによって単に結合されて固定されていたため、封印シールを剥がせば簡単に基板ケースを開けることが出来た。しかし、本実施形態のように、ケース本体４１ａとケース蓋４１ｂとが当接部位の一部または全部において、接着剤または硬化樹脂４５によって接着されたり、超音波や熱によって溶着されていると、封印シール４６が剥がされたとしても、基板ケース４１は開かない。このため、本実施形態によれば、遊技基板４２を露出させてＲＯＭ４７を脱着することは困難である。
【００４０】
しかも、本実施形態では、ＲＯＭ４７にまたがってさらに封印シール４９が貼られており、この封印シール４９の両端部が接着剤または硬化樹脂５０によって被覆されている。このため、何らかの手段によって万が一に基板ケース４１が開けられ、ＲＯＭ４７が脱着されても、封印シール４９が剥がされるためにその痕跡が残る。従って、不正操作が遊技機に対して行われたことが直ちに判明し、その対策をとることが可能である。
【００４１】
また、ＲＯＭ４７にまたがる封印シール４９の全部が接着剤または硬化樹脂５０によって被覆されている場合には、封印シール４９自体を剥がすことが困難になり、ＲＯＭ４７の脱着も困難になる。従って、基板ケース４１の封印構造と合わせて二重の封印構造になり、ＲＯＭ４７の不正交換対策が十分に講じられる。
【００４２】
上記実施形態の説明においては、ＲＯＭ４７にまたがる封印シール４９の一部または全部を接着剤または硬化樹脂５０によって被覆する場合について説明したが、次のような構成をとることも出来る。つまり、ＲＯＭ４７の一部または全部を透明な接着剤または硬化樹脂５０によって直接被覆し、この接着剤または硬化樹脂５０にまたがって封印シール４９を遊技基板４２に貼る。
【００４３】
本構成のように、ＲＯＭ４７の一部または全部が接着剤または硬化樹脂５０によって直接被覆されている場合には、その上の封印シール４９が剥がされたとしても、ＲＯＭ４７の脱着は困難である。従って、本構成によっても、基板ケース４１の封印構造と合わせて二重の封印構造が実現され、ＲＯＭ４７の不正交換が有効に防止される。
【００４４】
次に、本発明の他の実施形態による遊技機の電子部品封印構造について、図４を参照して説明する。同図は本実施形態による遊技機の電子部品封印構造が適用された基板ケース６１，６２を示しており、同図（ａ）はこれら基板ケース６１，６２の平面図、同図（ｂ）は基板ケース６１の側面図、同図（ｃ）は基板ケース６２の正面図である。
【００４５】
これら基板ケース６１，６２も、前述した一般的なパチンコ機１における基板ケース５および一般的なスロットマシン２１における基板ケース３４に相当しており、内部にはＲＯＭ４７が着脱自在に実装された上述した遊技基板４２が収納されている。また、各基板ケース６１，６２が止められている基盤６３は、遊技機が前述したパチンコ機１の場合には裏機構盤や遊技盤２に相当し、遊技機が前述したスロットマシン２１の場合には木枠３３に相当する。
【００４６】
図の左方の基板ケース６１は、遊技基板４２を収納するケース本体６１ａと、このケース本体６１ａに被せられるケース蓋６１ｂとからなる。これらケース本体６１ａとケース蓋６１ｂとの各端部には、貫通穴６４がそれぞれ開口した係合部６１ｃ，６１ｄが形成されている。ケース蓋６１ｂは、各係合部６１ｃ，６１ｄに開口した貫通穴６４が一致するようにケース本体６１ａに被せられている。また、基盤６３にはＬ字状の固定具６５が設けられており、この固定具６５には貫通穴６４と同じ口径の貫通穴が開口している。
【００４７】
基板ケース６１は、各係合部６１ｃ，ｄの貫通穴６４および固定具６５の貫通穴に結束バンド６６が挿通されて基盤６３に固定されている。この結束バンド６６は通常電線類を束ねるために用いられるものである。結束バンド６６の端部６６ａが輪状部６６ｂに通されると、ラチェット状に切られた溝６３ｃに輪状部６６ｂが引っ掛かり、端部６６ａは輪状部６６ｂから抜けなくなる。
【００４８】
この結束バンド６６は特殊な色をしている。つまり、通常の市販されている結束バンドは黒色や、白色、透明色といったものがほとんどであるが、本実施形態における結束バンド６６は市販されているこれらの色以外の特殊な色をしており、特別に製造されたものである。従って、一般の人がこの特殊な色をした結束バンド６６を入手することは困難である。なお、基板ケース６１の反対側の端部にもこれと同じ構造の電子部品封印構造が形成されている。
【００４９】
本構成のように、ケース蓋６１ｂが被せられたケース本体６１ａが特殊な色をした結束バンド６６によって基盤６３に止められることにより、結束バンド６６を切って基板ケース６１を開けると、同じ特殊な色をした結束バンド６６は入手出来ないため、再び元の状態に基板ケース６１を基盤６３に止めることは困難である。このため、結束バンド６６が封印シールの機能を果たし、結束バンド６６の状態を監視することにより、基板ケース６１に対する不正操作の痕跡を把握することが出来る。
【００５０】
また、図の右方の基板ケース６２も、遊技基板４２を収納するケース本体６２ａと、このケース本体６２ａに被せられるケース蓋６２ｂとからなる。また、これらケース本体６２ａとケース蓋６２ｂとの各端部には、貫通穴がそれぞれ開口した係合部６２ｃ，６２ｄが形成されている。ケース蓋６２ｂは、各係合部６２ｃ，６２ｄに開口した貫通穴が一致するようにケース本体６２ａに被せられている。また、基盤６３には固定具６７が設けられており、この固定具６７には各係合部６２ｃ，ｄに形成された貫通穴と同じ軸心位置に雌ネジ穴が形成されている。
【００５１】
基板ケース６２は、各係合部６２ｃ，ｄの貫通穴にビス６８が挿通され、固定具６７に形成された雌ネジ穴にこのビス６８が螺合されることにより、基盤６３に固定されている。基板ケース６２の固定に用いられているこのビス６８は、頭部のビット６８ａの形状が特殊な形状をしている。つまり、通常の市販されているビスのビット形状はプラス（＋）やマイナス（−）といった形状がほとんどであるが、ビス６８のビット６８ａの形状は市販されているビスが持っていない特殊な形状をしている。従って、ビット６８ａに合致するヘッドをもった工具は一般に販売されておらず、一般の人はビス６８を回すことが出来ない。なお、基板ケース６２の反対側の端部にもこれと同じ構造の電子部品封印構造が形成されている。
【００５２】
本構成のように、特殊形状をしたビット６８ａを持つビス６８によって基板ケース６２が基盤６３に止められることにより、ビス６８を回すことが困難であるため、基盤６３に螺合したビス６８は取り外すことが出来ない。従って、基板ケース６２を開けることは困難であり、遊技基板６２に対する不正操作を防止することが出来る。
【００５３】
また、上述した各基板ケース６１，６２内の遊技基板４２に実装されるＲＯＭ４７についても、図３に示す各構造で封印したり、ＲＯＭ４７自体を接着剤または硬化樹脂で直接接着する前述した構造で封印することにより、二重の封印構造を実現することが出来る。このような二重封印構造をとることにより、ＲＯＭ４７の不正交換をより有効に防止することが可能となる。
【００５４】
【発明の効果】
以上説明したように本発明によれば、ケース蓋とケース本体とが当接部位の全部のコネクタ部分を除く全周囲において接着剤または硬化樹脂によって接着されている場合には、封印シールが剥がされたとしても、ケースが開かないので電子部品の脱着は困難である。
【００５５】
また、ケース蓋とケース本体とのコネクタ部分を除く全周囲に設けられたフランジ部が当接部位の全部において溶着されている場合にも、封印シールが剥がされたとしても、ケースが開かないので電子部品の脱着は困難である。
【００５６】
また、ケース蓋が被せられたケース本体が特殊な色をした結束バンドによって基盤に止められることにより、結束バンドを切ってケースを開けると、同じ特殊な色をした結束バンドは入手出来ないため、再び元の状態にケースを基盤に止めることは困難である。
【００５７】
また、電子部品にまたがる封印シールの全部が接着剤または硬化樹脂によって被覆されている場合には、電子部品の脱着が困難になる。また、この封印シールの一部が接着剤または硬化樹脂によって被覆されている場合には、封印シールが剥がされるとその痕跡が残る。
【００５８】
また、電子部品の一部または全部が接着剤または硬化樹脂によって被覆されている場合には、封印シールが剥がされたとしても、電子部品の脱着は困難である。
【００６０】
このため、大当たり確率情報等を記憶した電子部品の脱着が困難となり、また、万が一に脱着されてもその痕跡が残る。よって、遊技機を制御する電子回路基板の改造が有効に防止され、大量の遊技媒体が不正に剥奪されなくなる。
【図面の簡単な説明】
【図１】本発明の一実施形態による遊技機の電子部品封印構造が適用された基板ケースを示す図である。
【図２】図１に示す基板ケースの変形例を示す図である。
【図３】図１に示す基板ケース内に収納されたＲＯＭの封印構造を示す図である。
【図４】本発明の他の実施形態による遊技機の電子部品封印構造が適用された基板ケースを示す図である。
【図５】一般的なパチンコ機を示す図である。
【図６】一般的なスロットマシンを示す図である。
【符号の説明】
４１，６１，６２…基板ケース
４１ａ，６１ａ，６２ａ…ケース本体
４１ｂ，６１ｂ，６２ｂ…ケース蓋
４２…遊技基板
４５，５０…接着剤または硬化樹脂
４６，４９…封印シール
４７…ＲＯＭ
６１ｃ，６１ｄ，６２ｃ，６２ｄ…係合部
６３…基盤
６４…貫通穴
６５，６７…固定具
６６…結束バンド
６８…ビス
６８ａ…ビット
【図１】
0004041183.tif 000002
【図２】
0004041183.tif 000003
【図３】
0004041183.tif 000004
【図４】
0004041183.tif 000005
【図５】
0004041183.tif 000006
【図６】
0004041183.tif 000007